(57)【要約】【課題】所定の操作によらないと光アダプタから取り外すことができないようにすることで、セキュリティを高める。【解決手段】光コネクタ１に、ハウジング２０の後方端部の全周を囲む保持部４１と、係止レバー３０の後方端部３２の上方を覆うカバー部４２と、保持部４１とカバー部４２との間に設けられ、光軸方向に貫通した治具挿入穴４３とを有するカバー部材４０を設ける。この光コネクタ１を光アダプタ２から取り外すための取り外し治具６０に操作レバー６２を設け、操作レバー６２を治具挿入穴４３に後方から挿入した状態で、操作レバー６２の前方端部６３を係止レバー３０の後方端部３２の上方に配すると共に、操作レバー６２の後方端部を治具挿入穴４３よりも後方に突出させる。【選択図】図１１
2012037652.tif 000002
【特許請求の範囲】
【請求項１】
光ファイバの先端に取り付けられるフェルールと、
フェルールを保持するハウジングと、
光アダプタと係合する係止部を有し、前方端部がハウジングの上面に接続され、後方端部が弾性的に上下動可能な係止レバーと、
ハウジングの外周全周を保持する保持部と、前記係止レバーの後方端部の上方を覆うカバー部と、保持部とカバー部との間に設けられ、光軸方向に貫通した治具挿入穴とを有するカバー部材と、
を備えた光コネクタ。
【請求項２】
光アダプタに装着した状態で、カバー部が、光アダプタの上面の一部を覆う位置まで延びている請求項１記載の光コネクタ。
【請求項３】
光アダプタに装着した状態で、カバー部が、光アダプタの上面に設けられた係合穴を覆う位置まで延びている請求項２記載の光コネクタ。
【請求項４】
カバー部材の保持部が、ハウジングの上面を保持する上側保持部品と、ハウジングの下面を保持する下側保持部品とからなる請求項１〜３の何れかに記載の光コネクタ。
【請求項５】
請求項１記載の光コネクタを光アダプタから取り外すための取り外し治具であって、
前方端部を弾性的に上下動可能な操作レバーを有し、操作レバーを治具挿入穴に後方から挿入した状態で、操作レバーの前方端部が係止レバーの後方端部の上方に配されると共に、操作レバーの後方端部がカバー部材の治具挿入穴から後方に突出した取り外し治具。
【請求項６】
請求項１記載の光コネクタと、光コネクタが装着される光アダプタと、光アダプタから光コネクタを取り外すための取り外し治具とを用いた光コネクタの取り外し構造において、
取り外し治具が前方端部を弾性的に上下動可能な操作レバーを有し、
操作レバーの上面に凹部又は凸部を設けると共に、光コネクタのカバー部材の治具挿入穴に凸部又は凹部を設け、
操作レバーの凹部又は凸部が治具挿入穴の凸部又は凹部と嵌合する場合は、治具挿入穴に挿入された操作レバーの前方端部が係止レバーの後方端部の上方に配され、
操作レバーの凹部又は凸部が治具挿入穴の凸部又は凹部と嵌合しない場合は、治具挿入穴に挿入された操作レバーが、治具挿入穴又は操作レバーの凸部で押し下げられ、操作レバーの前方端部を係止レバーの後方端部の上方に配することができないようにした光コネクタの取り外し構造。
【発明の詳細な説明】
【技術分野】
【０００１】
本発明は、光コネクタと、光コネクタを光アダプタから取り外すための取り外し治具と、これらを用いた光コネクタの取り外し構造とに関する。
【背景技術】
【０００２】
光コネクタは、光ファイバケーブルの先端に取り付けられ、光アダプタ（あるいは光レセプタクル、以下同様）に装着することにより、当該光ファイバケーブルを他の光ファイバケーブルや光通信モジュールと光通信可能に接続するためのものである。
【０００３】
例えば特許文献１には、光アダプタからの抜け止めを行う係止レバーを有する光コネクタが示されている。この光コネクタは、係止レバーと光アダプタとを係合させることで、光アダプタからの抜け止めを行っている。係止レバーを上方から押さえて弾性変形させることにより、係止レバーと光アダプタとの係合が解除され、光コネクタを光アダプタから取り外すことができる。
【先行技術文献】
【特許文献】
【０００４】
【特許文献１】特開２００９−１０９９７８号公報
【発明の概要】
【発明が解決しようとする課題】
【０００５】
上記のような光コネクタは、係止レバーを押し下げることにより誰にでも光アダプタから取り外すことができる。しかし、例えばサーバに接続される光コネクタの場合、誰でも光コネクタを取り外すことができると、セキュリティ上問題となる場合がある。
【０００６】
本発明の解決すべき課題は、所定の操作によらないと光コネクタを光アダプタから取り外すことができないようにすることで、セキュリティを高めることにある。
【課題を解決するための手段】
【０００７】
前記課題を解決するために、本発明は、光ファイバの先端に取り付けられるフェルールと、フェルールを保持するハウジングと、光アダプタと係合する係止部を有し、前方端部がハウジングの上面に固定され、後方端部が弾性的に上下動可能な係止レバーと、ハウジングの外周全周を保持する保持部、係止レバーの後方端部の上方を覆うカバー部、及び、保持部とカバー部との間に設けられ、光軸方向に貫通した治具挿入穴を有するカバー部材と、を備えた光コネクタを提供する。
【０００８】
ここで、「光軸方向」とは光ファイバの延在方向（図２の左右方向）のことであり、光軸方向で光ファイバの先端側（図２の右側）を「前方」、その反対側（図２の左側）を「後方」と言う。また、光軸方向と直交する一方向を上下方向として説明するが、これは各構成の相対的な位置関係を説明するために便宜上設定するものであり、光コネクタの使用態様を限定する趣旨ではない。
【０００９】
このように、係止レバーの後方端部の上方がカバー部で覆われているため、係止レバーを上方から押さえることができなくなる。これにより、光コネクタを光アダプタからの取り外しが規制され、光コネクタが接続される機器（サーバ等）のセキュリティを高めることができる。光コネクタの光アダプタからの取り外しは、カバー部材の治具挿入穴に後方から取り外し治具を挿入し、カバー部の下方に配されている係止レバーの後方端部を押し下げることにより行われる。
【００１０】
上記のような光コネクタにおいて、カバー部が容易に変形してしまうと、カバー部を上方から押さえて変形させ、この変形したカバー部により係止レバーが押し下げられ、光コネクタが光アダプタから取り外される恐れがある。そこで、光コネクタを光アダプタに装着した状態で、カバー部が光アダプタの上面の一部を覆う位置まで延びていると、カバー部を上方から押さえても、光アダプタの上面と当接してカバー部の変形を規制することができるため、係止レバーが押し下げられる事態を確実に防止できる。
【００１１】
また、光アダプタには、光コネクタの係止レバーと係合させるための係合穴が上面に開口している場合がある。この係合穴から係止レバーを操作されると、光コネクタが光アダプタから取り外される恐れがある。そこで、光アダプタに装着した状態で、カバー部が光アダプタの係合穴を覆うようにすれば、係合穴から係止レバーが操作される事態を防止できる。
【００１２】
上記の光コネクタでは、カバー部材に設けられた保持部でハウジングの外周全周を保持するため、保持部は筒状を成している。従って、カバー部材とハウジングとの組み付けは、例えば、ハウジングの後方から保持部を外挿することにより行われる。このとき、ハウジングにフェルール及び光ファイバケーブルが組みつけられていると、光ファイバケーブルが邪魔になってカバー部材をハウジングの後方から組み付けることができない。そこで、カバー部材の保持部を、ハウジングの上面を保持する上側保持部品と、ハウジングの下面を保持する下側保持部品とで構成すれば、ハウジングに予めフェルール及び光ファイバケーブルが組み付けられている場合でも、光ファイバケーブルを上下から挟むように上側保持部品と下側保持部品とを組み立て、保持部の内周に光ファイバケーブルを収容した後、カバー部材をハウジングの後方から組み付けることができる。
【００１３】
上記の光コネクタは、前方端部を弾性的に上下動可能な操作レバーを有し、操作レバーを治具挿入穴に後方から挿入した状態で、操作レバーの前方端部が係止レバーの後方端部の上方に配されると共に、操作レバーの後方端部がカバー部材の治具挿入穴よりも後方に突出する取り外し治具を用いて、光アダプタから取り外すことができる。具体的には、取り外し治具の操作レバーを治具挿入穴に後方から挿入した状態で、治具挿入穴から後方に突出した操作レバーの後方端部を上方から押さえることにより、操作レバーの前方端部を下方に押し下げ、係止レバーの後方端部を下方に押し下げることができる。これにより、光コネクタの係止レバーと光アダプタとの係合が解除され、光コネクタを光アダプタから取り外すことができる。
【００１４】
例えば、一種類の取り外し治具で全ての光コネクタを取り外し可能とすると、当該取り外し治具さえ手に入ればあらゆる光コネクタを取り外すことができるため、セキュリティが十分であるとは言えない場合がある。そこで、本発明の光コネクタの取り外し構造は、操作レバーの上面に凹部又は凸部を設けると共に、光コネクタのカバー部材の治具挿入穴に凸部又は凹部を設けたものである。操作レバーの凹部又は凸部が治具挿入穴の凸部又は凹部と嵌合する場合は、治具挿入穴に挿入された操作レバーの前方端部が係止レバーの後方端部の上方に配されるようになっている。この場合、操作レバーを押し下げて係止レバーを押し下げることで、光コネクタを光アダプタから取り外すことができる。一方、操作レバーの凹部又は凸部が治具挿入穴の凸部又は凹部と嵌合しない場合は、治具挿入穴に挿入された操作レバーが、治具挿入穴又は操作レバーの凸部で押し下げられ、操作レバーの前方端部が係止レバーの後方端部の上方に配することができないようになっている。この場合、操作レバーを押し下げても係止レバーは押し下げられないため、光コネクタを光アダプタから取り外すことができない。従って、上記の光コネクタの取り外し構造によれば、当該光コネクタに適合した特定の取り外し治具を用いないと光コネクタを光アダプタから取り外すことができないため、セキュリティがより一層高められる。
【発明の効果】
【００１５】
以上のように、本発明によれば、光コネクタを光アダプタから取り外すためには、カバー部材の治具挿入穴に取り外し治具を挿入して係止レバーを押し下げる操作を要するため、部外者による光コネクタの取り外しを防止し、セキュリティを高めることができる。
【図面の簡単な説明】
【００１６】
【図１】本発明の一実施形態に係る光コネクタの斜視図である。
【図２】上記光コネクタの側面図である。
【図３】上記光コネクタの正面図である。
【図４】上記光コネクタの部分断面図である。
【図５】上記光コネクタのカバー部材の斜視図である。
【図６】上記カバー部材の正面図である。
【図７ａ】光コネクタのカバー部材の組付手順を示す斜視図である。
【図７ｂ】光コネクタのカバー部材の組付手順を示す斜視図である。
【図８】上記光コネクタに対応した取り外し治具の斜視図である。
【図９】上記取り外し治具を用いて上記光コネクタを光アダプタから取り外す手順を示す部分断面図である。
【図１０】上記取り外し治具を用いて上記光コネクタを光アダプタから取り外す手順を示す部分断面図である。
【図１１】上記取り外し治具を用いて上記光コネクタを光アダプタから取り外す手順を示す部分断面図である。
【図１２】上記取り外し治具を用いて上記光コネクタを光アダプタから取り外す手順を示す部分断面図である。
【図１３】他の光コネクタに対応した取り外し治具の斜視図である。
【図１４】図１の光コネクタに図１３の取り外し治具を装着した状態を示す部分断面図である。
【発明を実施するための形態】
【００１７】
以下、本発明の実施形態を図面に基づいて説明する。
【００１８】
図１〜３に、本発明の一実施形態に係る光コネクタ１を示す。この光コネクタ１はＬＣ型光コネクタであり、光ファイバ（図示省略）を内部に有する光ファイバケーブル３の先端に取り付けられる。光コネクタ１は、光ファイバの先端に取り付けられたフェルール１０と、フェルール１０を保持するハウジング２０と、ハウジング２０の上面に設けられた係止レバー３０と、ハウジング２０の後方端部に取り付けられたカバー部材４０と、ハウジング２０から後方に延びた光ファイバケーブル３を保護するブーツ５０とを主に備える。本実施形態の光コネクタ１は、一対のハウジング２０がカバー部材４０で一体化された、いわゆる２芯型の光コネクタである。尚、以下の説明では、図２の上下方向を「上下方向」と言い、光軸方向及び上下方向の双方と直交する方向（図３の左右方向）を「幅方向」と言う。
【００１９】
フェルール１０は、光軸方向に貫通する挿通孔を有し（図示省略）、この挿通孔に光ファイバが挿通される。光コネクタ１を光アダプタ２（図２に鎖線で示す）に装着し、フェルール１０の先端部を相手方の光コネクタのフェルールの先端部と当接させることにより、光ファイバが相手方の光ファイバと光通信可能に接続される。
【００２０】
ハウジング２０は、例えば樹脂で略直方体に形成され、光アダプタ２の装着穴に適合した形状を成している。ハウジング２０は内周にフェルール１０を保持し、フェルール１０の先端部はハウジング２０から前方に突出している。ハウジング２０の内部にはスプリング（図示省略）が設けられ、このスプリングでフェルール１０が前方に付勢された状態で保持されている。
【００２１】
係止レバー３０は、前方端部がハウジング２０の上面に接続されると共に、後方端部がハウジング２０の上面から離反している。これにより、係止レバー３０の後方端部３２（図２参照）を弾性的に上下動させることができる。本実施形態では、係止レバー３０がハウジング２０の上面から後方に向けて斜め上方に延び、係止レバー３０とハウジング２０とが樹脂で一体成形される。係止レバー３０の中間部の幅方向両側には係止部３１が設けられる。図４に示すように、係止レバー３０の係止部３１と、光アダプタ２に設けられた係合穴２ａとが光軸方向で係合することにより、光コネクタ１の光アダプタ２からの抜け止めが行なわれる。係止レバー３０の後方端部３２を弾性的に押し下げると、係止レバー３０の係止部３１と光アダプタ２の係合穴２ａとの係合が解除される。
【００２２】
カバー部材４０は、図５及び図６に示すように、ハウジング２０の外周全周を保持する保持部４１と、係止レバー３０の上方を覆うカバー部４２と、保持部４１とカバー部４２との間に設けられ、光軸方向に貫通した治具挿入穴４３とを備える。
【００２３】
保持部４１は、光軸方向に貫通した一対の保持穴４１ａを有する。この保持穴４１ａにハウジング２０の後方端部を挿入することにより、ハウジング２０の後方端部の外周全周が保持部４１で保持される。保持穴４１ａの内周面には係合突起４１ｂが形成され、具体的には、一対の保持穴４１ａの幅方向両側の内壁にそれぞれ係合突起４１ｂが形成される。一方、ハウジング２０の後方端部の幅方向両側面にはそれぞれ凹部２１が設けられる（図７（ａ）参照）。保持部４１の保持穴４１ａにハウジング２０を挿入すると、保持部４１の係合突起４１ｂとハウジング２０の凹部とが嵌合し、これらが光軸方向で係合することにより、保持部４１に対するハウジング２０の抜け止めが行われる。
【００２４】
保持部４１は、図６に示すように、上側保持部品４４と下側保持部品４５とで構成される。上側保持部品４４は、ハウジング２０の上面を保持する上壁部４４ａと、ハウジング２０の幅方向外側の側面を保持する一対の外側壁部４４ｂと、ハウジング２０の幅方向中央側の側面を保持する中央側壁部４４ｃとを有する。下側保持部品４５は、ハウジング２０の下面を保持する下壁部４５ａと、ハウジング２０の幅方向中央側の側壁を保持する中央側壁部４５ｂとを有する。下側保持部品４５の中央側壁部４５ｂに設けられた係止爪４５ｃが、上側保持部品４４の中央側壁部４４ｃに設けられた係止溝４４ｄと係合することで、両者が一体化される。
【００２５】
カバー部４２は、保持部４１の上面の幅方向両端から上方に立ち上がったカバー側壁部４６を介して、保持部４１の上方に設けられる。本実施形態では、カバー部４２、カバー側壁部４６、及び上側保持部品４４が樹脂で一体成形される。カバー部４２は、カバー側壁部４６の上端部同士を連結し、前方に延びて係止レバー３０の後方端部３２の上方を覆う（図２参照）。カバー部４２の下面には凸部４７が設けられる。凸部４７の場所や形状は光コネクタ１ごとに異なっており、図示例では、カバー部４２の幅方向中央部に、光軸方向に延びる凸部４７が形成される。凸部４７の後方端部には、後方に向けて斜め上方に傾斜した傾斜面が設けられる。
【００２６】
治具挿入穴４３は、図６に示すように、カバー部４２、カバー側壁部４６、及び、上側保持部品４４の上壁部４４ａで囲まれた空間により構成される。本実施形態では、図３に示す正面視で、治具挿入穴４３の内周に一対の係止レバー３０の後方端部３２が配されている。
【００２７】
カバー部材４０のハウジング２０への組付は、例えば以下の手順で行われる。まず、図７（ａ）に示すように、上側保持部品４４と下側保持部品４５とを光ファイバケーブル３を上下から挟むようにして組み付け、保持穴４１ａの内周に光ファイバケーブル３を配する。その後、図７（ｂ）に示すように、カバー部材４０を前方に移動させ、ハウジング２０の後方端部をカバー部材４０の保持部４１の保持穴４１ａに前方から挿入する。そして、保持穴４１ａの内周面に形成された係合突起４１ｂ（図６参照）とハウジング２０の凹部２１（図７（ａ））とを係合させ、カバー部材４０とハウジング２０とを固定する。
【００２８】
図２に示すように、光アダプタ２から後方に突出した係止レバー３０の後方端部３２が、カバー部材４０のカバー部４２で上方から覆われているため、係止レバー３０を上方から押さえることができない。これにより、光コネクタ１の光アダプタ２からの取り外しを規制することができる。特に、カバー部４２の前方端部が光アダプタ２の上面の一部を覆う位置まで延びているため、カバー部４２を上方から押さえても、カバー部４２が光アダプタ２の上面と当接し、カバー部４２が下方に変形して係止レバー３０が押し下げられる事態を確実に防止できる。
【００２９】
また、光アダプタ２には、図４に示すように、係止レバー３０の係止部３１と係合する係合穴２ａが形成されている。係合穴２ａは、成形の都合上、光アダプタ２の上面に開口して形成される。この係合穴２ａに細長い針状の治具等を差し込んで係止レバー３０を押し下げると、係止部３１と係合穴２ａとの係合が解除され、光コネクタ１が光アダプタ２から取り外される恐れがある。そこで、図４に示すように、カバー部４２を、光アダプタ２の係合穴２ａを覆う位置まで延ばすことにより、係合穴２ａを利用して光コネクタ１が取り外される事態を防止できる。
【００３０】
図８に、光コネクタ１を光アダプタ２から取り外すための取り外し治具６０を示す。取り外し治具６０は、基部６１と、基部６１の上面から前方に延びた操作レバー６２とを有する。基部６１は、ブーツ５０の外周面と嵌合する嵌合部６１ａを有する。嵌合部６１ａは、幅方向外側を開口した部分円筒面であり、ブーツ５０の外周面の円周方向半分以上の領域を覆う。嵌合部６１ａとブーツ５０の外周面とが嵌合することにより、取り外し治具６０が光コネクタ１に対して光軸方向と直交する方向で位置決めされる。特に、本実施形態の光コネクタ１は２芯タイプであり、２本のブーツ５０にそれぞれ嵌合部６１ａを嵌合させることで、取り外し治具６０がブーツ５０周りに回転することを規制できる。
【００３１】
操作レバー６２は、後方端部が基部６１に接続され、前方端部６３が弾性的に上下動可能となっている。具体的に操作レバー６２は、基部６１の上面から前方に向けて斜め上方に延びた傾斜部６２ａと、傾斜部６２ａの先端から前方に水平に延びた水平部６２ｂと、補強部６２ｃとを有し、水平部６２ｂの前方端部６３が弾性的に上下動可能となっている。本実施形態では、操作レバー６２が樹脂で一体成形される。水平部６２ｂには、カバー部４２の下面に設けられた凸部４７と嵌合する凹部が設けられる。図示例では、凹部として、水平部６２ｂを上下に貫通する貫通穴６２ｄが設けられる。貫通穴６２ｄは、水平部６２ｂの幅方向中央部に設けられ、光軸方向に延びた長方形を成している。補強部６２ｃは、水平部６２ｂと略平行に設けられ、補強部６２ｃの後方端部は傾斜部６２ａの中間部に接続され、補強部６２ｃの前方端部は水平部６２ｂの前方端部６３付近に接続される。このように、操作レバー６２に補強部６２ｃを設けることにより、強度が高められると共に、操作レバー６２を押し下げたときの弾性復元力が高められる。
【００３２】
以下、光アダプタ２に装着された光コネクタ１を、取り外し治具６０を用いて取り外す手順を説明する。
【００３３】
まず、取り外し治具６０の基部６１の嵌合部６１ａに２本の光ファイバケーブル３を嵌め込んだ後、図９に示すように取り外し治具６０を前方に移動させ、操作レバー６２の前方端部６３をカバー部材４０の治具挿入穴４３の後方開口部に配する。このとき、取り外し治具６０の基部６１が２本の光ファイバケーブル３と嵌合しているため、取り外し治具６０の光軸方向と直交する方向の移動が規制される。この状態で取り外し治具６０を前方に移動させたときに、操作レバー６２が治具挿入穴４３の所定の位置（上端部付近）に挿入されるように、取り外し治具６０の形状が定められる。
【００３４】
さらに取り外し治具６０を前方に押し進めると、図１０に示すように、操作レバー６２の前方端部６３がカバー部４２の凸部４７で弾性的に押し下げられる。このとき、凸部４７の後方端部に設けられた傾斜面にガイドされることで、操作レバー６２の前方端部６３がスムーズに押し下げられる。
【００３５】
さらに取り外し治具６０を前方に押し進めると、図１１に示すように、操作レバー６２の水平部６２ｂに設けられた貫通穴６２ｄに、カバー部４２の凸部４７が嵌り込む。これと同時に、凸部４７で押し下げられていた操作レバー６２が弾性的に復元し、操作レバー６２の水平部６２ｂがカバー部４２の下面に当接し、あるいは非常に近接した状態となる。そして、取り外し治具６０の基部６１がカバー部材４０の保持部４１と当接することにより、取り外し治具６０の光コネクタ１への装着が完了する。このとき、操作レバー６２の前方端部６３は係止レバー３０の後方端部３２の上方に配される。また、操作レバー６２の後方端部は、カバー部材４０の治具挿入穴４３から後方に突出しており、図示例では、操作レバー６２の半分以上が外部に露出している。
【００３６】
そして、図１２に矢印で示すように、取り外し治具６０の操作レバー６２の外部に露出した部分を上方から押し下げる。すると、操作レバー６２が弾性変形して前方端部６３が押し下げられ、この操作レバー６２の前方端部６３で係止レバー３０の後方端部３２が押し下げられる。これにより、係止レバー３０の係止部３１と光アダプタ２の係合穴２ａ（図４参照）との係合が解除される。この状態で、取り外し治具６０及び光コネクタ１を後方に引っ張ることにより、光アダプタ２から光コネクタ１が取り外される。
【００３７】
上記の光コネクタ１及び取り外し治具６０は、カバー部４２に設けられた凸部４７と、操作レバー６２に設けられた凹部（貫通穴６２ｄ）とが嵌合することで、操作レバー６２の前方端部６３を係止レバー３０の後方端部３２の上方に配することができる（図１１参照）。これに対し、カバー部４２の凸部４７と操作レバー６２の貫通穴６２ｄとが嵌合しなければ、操作レバー６２の前方端部６３を係止レバー３０の後方端部３２の上方に配することができない。以下、この機構について詳しく説明する。
【００３８】
例えば、図１３に示す取り外し治具６０は、操作レバー６２の水平部６２ｂの幅方向に離隔した２箇所に貫通穴６２ｄが形成されている。この取り外し治具６０を上記の光コネクタ１に装着すると、凸部４７と貫通穴６２ｄとの幅方向位置が合っていないため、凸部４７と貫通穴６２ｄとが嵌合しない。従って、図１４に示すように、操作レバー６２は凸部４７で押し下げられた状態のまま前方に進むため、操作レバー６２の前方端部６３を係止レバー３０の後方端部３２の上方に配することができない。図示例では、操作レバー６２の前方端部６３が係止レバー３０の後方端部３２に後方から当接する。この状態で、操作レバー６２を押し下げても、係止レバー３０の後方端部３２を押し下げることはできない。
【００３９】
このように、カバー部４２の凸部４７と操作レバー６２の貫通穴６２ｄとの位置及び大きさが合っていないと、取り外し治具６０で光コネクタ１を光アダプタ２から取り外すことができない。換言すれば、サーバ等に設けられた多数の光接続端子（光アダプタ）に光コネクタ１が取り付けられる場合、光コネクタ１ごとにカバー部４２の凸部４７の位置及び大きさを異ならせておけば、この光コネクタ１を取り外す際には、当該光コネクタの凸部４７と嵌合可能な凹部（貫通穴６２ｄ）を有する取り外し治具６０を用いる必要がある。このように、取り外し治具６０が、各光コネクタ１に適合した「鍵」のような役割を果たすことにより、部外者による光コネクタ１の取り外しをより確実に防止し、セキュリティがさらに高められる。
【００４０】
本発明は上記の実施形態に限られない。例えば、上記の実施形態では、カバー部４２に凸部４７を設け、操作レバー６２に凹部（貫通穴６２ｄ）を設けているが、これとは逆に、カバー部４２に凹部を設けると共に、操作レバー６２に凸部を設けても良い。
【００４１】
また、上記の実施形態では、２芯タイプの光コネクタ１に本発明を適用した場合を示したが、これに限らず、例えば単芯タイプの光コネクタに本発明を適用してもよい。
【符号の説明】
【００４２】
１     光コネクタ
２     光アダプタ
２ａ   係合穴
３     光ファイバケーブル
１０   フェルール
２０   ハウジング
３０   係止レバー
３１   係止部
４０   カバー部材
４１   保持部
４２   カバー部
４３   治具挿入穴
４４   上側保持部品
４５   下側保持部品
５０   ブーツ
６０   取り外し治具
６１   基部
６２   操作レバー
【図１】
2012037652.tif 000003
【図２】
2012037652.tif 000004
【図３】
2012037652.tif 000005
【図４】
2012037652.tif 000006
【図５】
2012037652.tif 000007
【図６】
2012037652.tif 000008
【図７ａ】
2012037652.tif 000009
【図７ｂ】
2012037652.tif 000010
【図８】
2012037652.tif 000011
【図９】
2012037652.tif 000012
【図１０】
2012037652.tif 000013
【図１１】
2012037652.tif 000014
【図１２】
2012037652.tif 000015
【図１３】
2012037652.tif 000016
【図１４】
2012037652.tif 000017